(57)【特許請求の範囲】
【請求項１】
以下の工程を順次行うことを含む、生体高分子配列薄片の製造方法。
（１）中空繊維又は多孔質中空繊維を複数本束ねて、配列体とする工程。
（２）各繊維の中空部に、生体高分子、重合性モノマーを含む溶液を導入する工程。
（３）中空部内で重合反応を行い、中空部にゲルを保持する工程。
（４）配列体を繊維軸と交叉する方向にスライスする工程。
【発明の詳細な説明】
【０００１】
【発明の属する技術分野】
本発明は、臨床検査、食品検査等の分野などに利用できる核酸、蛋白質、多糖類などの生体高分子が固定化された高分子材料の製造方法に関する。詳しくは、中空繊維又は多孔質中空繊維を用いた該生体高分子が整然と配列されて固定化された生体高分子配列薄片の製造方法に関する。
【０００２】
【従来の技術】
近年、各種生物におけるゲノムプロジェクトが進められており、ヒト遺伝子をはじめとして、多数の遺伝子とその塩基配列が急速に明らかにされつつある。 配列の明らかにされた遺伝子の機能については、各種の方法で調べることができるが、その有力な方法の一つとして、明らかにされた塩基配列情報を利用した遺伝子発現解析が知られている。 例えば、ノーザンハイブリダイゼーションに代表されるような、各種の核酸：核酸間ハイブリダイゼーション反応や各種のPCR反応を利用した方法が開発され、当該方法により各種遺伝子とその生体機能発現との関係を調べることができる。しかしながら、これらの方法では適用し得る遺伝子の数に制限がある。したがって、今日のゲノムプロジェクトを通して明らかにされつつあるような、一個体レベルという極めて多数の遺伝子から構成される複雑な反応系全体からみると、上記方法により遺伝子の総合的・系統的解析を行うことは困難である。
【０００３】
最近になって、多数遺伝子の一括発現解析を可能とするＤＮＡマイクロアレイ法（ＤＮＡチップ法）と呼ばれる新しい分析法、ないし方法論が開発され、注目を集めている。
【０００４】
これらの方法は、いずれも核酸：核酸間ハイブリダイゼーション反応に基づく核酸検出・定量法である点で原理的には従来の方法と同じであるが、マイクロアレイ又はチップと呼ばれる平面基盤片上に、多数のＤＮＡ断片が高密度に整列固定化されたものが用いられている点に大きな特徴がある。マイクロアレイ法の具体的使用法としては、例えば、研究対象細胞の発現遺伝子等を蛍光色素等で標識したサンプルを平面基盤片上でハイブリダイゼーションさせ、互いに相補的な核酸（ＤＮＡあるいはＲＮＡ）同士を結合させ、その箇所を蛍光色素等でラベル後、高解像度解析装置で高速に読みとる方法が挙げられる。こうして、サンプル中のそれぞれの遺伝子量を迅速に推定できる。即ち、この新しい方法の本質は、基本的には反応試料の微量化と、その反応試料を再現性よく多量・迅速・系統的に分析、定量しうる形に配列・整列する技術との統合であると理解される。
【０００５】
核酸を基盤上に固定化するための技術としては、上記ノーザン法同様、ナイロンシート等の上に高密度に固定化する方法の他、更に密度を高めるため、ガラス等の基盤の上にポリリジン等をコーティングして固定化する方法、あるいはシリコン等の基盤の上に短鎖の核酸を直接固相合成していく方法などが開発されている。
【０００６】
しかし、例えば、ガラス等の固体表面を化学的又は物理的に修飾した基盤上に核酸をスポッティング固定化する方法[Science 270, 467-470(1995)]は、スポット密度でシート法より優れるものの、スポット密度及びスポット当たり固定できる核酸量がシリコン基盤上における直接合成法(U.S.Patent 5,445,934、U.S.Patent 5,774,305）と比較して少量であり、再現が困難である点が指摘されている。他方、シリコン等の基盤の上にフォトリソグラフィー技術を用い、多種の短鎖核酸をその場で規則正しく固相合成していく方法に関しては、単位面積当たりに合成しうる核酸種数（スポット密度）及びスポット当たりの固定化量（合成量）、並びに再現性等において、スポッティング法より優れるとされるものの、固定化しうる化合物種は、フォトリソグラフィーにより制御可能な比較的短鎖の核酸に限られる。さらに、高価な製造装置と多段の製造プロセスにより、チップ当たりの大きなコストダウンが困難とされる。その他、微小な担体上に核酸を固相合成しライブラリー化する手法として、微小なビーズを利用する方法が知られている。この方法は、チップ法より長鎖の核酸を多種・安価に合成することが可能であり、またｃＤＮＡ等より長鎖の核酸も固定可能と考えられる。しかしながら、チップ法と異なり、指定の化合物を指定の配列基準で再現性よく整列させたものを作製することは困難である。
【０００７】
【発明が解決しようとする課題】
このような状況下、分子の大きさによらず、核酸、蛋白質、多糖類などの生体高分子を、所定の濃度に固定化でき、測定可能な形に高密度に再現よく配列化可能で、安価な大量製造に適応しうる新たな体系的方法論の確立は、今後重要性を増すと考えられる遺伝子解析に強く求められる。
【０００８】
具体的には、ナイロンシートやガラス基盤のような二次元担体上への微量スポッティングや微量分注による生体高分子配列体製造法に比べ、生体高分子固定化量が高く、単位面積あたり配列される生体高分子の分子種の高密度化が可能で、大量生産により適した配列体、すなわち生体高分子が固定化された二次元的（平面的）配列体（固定化生体高分子二次元配列体）の製造法の確立することが、本発明が解決しようとする課題である。
【０００９】
また、本発明が解決しようとする課題は、例えば、生体高分子が核酸である場合、シリコン基盤上へのフォトリソグラフィーと固相合成との組み合わせによる高密度オリゴ核酸配列体製造法と比べ、ｃＤＮＡを含む長鎖の核酸にも適応可能で、製造コストのより低い固定化核酸二次元配列体製造法の確立である。
【００１０】
本発明は、核酸、蛋白質、ポリペプチド、多糖類などの生体高分子が整然と配列されて固定化された薄片の効率的な製造方法を提供することを目的とする。
【００１１】
【課題を解決するための手段】
本発明者らは、上述の如き課題を解決すべく、鋭意検討を重ねた結果、生体高分子整列化プロセスと固定化プロセスとを同一の二次元担体上で行う従来法の発想を改め、まず、繊維賦形技術により中空繊維の三次元配列体を作製し、この配列体に効率的に生体高分子を導入、固定化することにより、生体高分子が整列して配列された三次元構造体を得、その構造体の切断薄片化プロセスを経ることで、固定化生体高分子二次元高密度配列体薄片を作製し得ることを見い出し、本発明を完成するに至った。
【００１２】
すなわち、本発明は、中空繊維を複数本束ねて配列体とし、次いで該配列体を構成する各中空繊維の内壁部及び／又は中空部に生体高分子を固定化させた後、該生体高分子固定化配列体を繊維軸と交差する方向にスライスすることを特徴とする生体高分子配列薄片の製造方法である。
【００１３】
上記配列体を構成する各中空繊維の内壁部及び／又は中空部への生体高分子の固定化は、例えば、該配列体を構成する各中空繊維の延長部分の先端を生体高分子を含む液に浸漬し、該液を該配列体を構成する各中空繊維の中空部に導入することにより行うことができる。
【００１４】
また、本発明は、多孔質中空繊維を複数本束ねて配列体とし、次いで該配列体を構成する各多孔質中空繊維の内壁部、中空部及び／又は多孔質部に生体高分子を固定化させた後、該生体高分子固定化配列体を繊維軸と交差する方向にスライスすることを特徴とする生体高分子配列薄片の製造方法である。
【００１５】
上記配列体を構成する各多孔質中空繊維の内壁部、中空部及び／又は多孔質部への生体高分子の固定化は、例えば、該配列体を構成する各多孔質中空繊維の延長部分の先端を生体高分子を含む液に浸漬し、該液を該配列体を構成する各多孔質中空繊維の中空部及び／又は多孔質部に導入することにより行うことができる。
【００１６】
また、本発明は、中空繊維を複数本束ねて配列体とし、次いで該配列体を構成する各中空繊維の中空部に生体高分子を含むゲルを充填した後、該生体高分子固定化配列体を繊維軸と交差する方向にスライスすることを特徴とする生体高分子配列薄片の製造方法である。
【００１７】
上記配列体を構成する各中空繊維の中空部への中空部への生体高分子を含むゲルの充填は、該配列体を構成する各中空繊維の延長部分の先端を生体高分子を含むモノマー溶液に浸漬し、該液を該配列体を構成する各中空繊維の中空部に導入した後に重合して中空部にゲルを形成することにより行うことができる。
【００１８】
さらに、本発明は、多孔質中空繊維を複数本束ねて配列体とし、次いで該配列体を構成する各多孔質中空繊維の内壁部、中空部及び／又は多孔質部に生体高分子を含むゲルを充填した後、該生体高分子固定化配列体を繊維軸と交差する方向にスライスすることを特徴とする生体高分子配列薄片の製造方法である。
【００１９】
上記配列体を構成する各多孔質中空繊維の中空部及び／又は多孔質壁部への生体高分子を含むゲルの充填は、該配列体を構成する各多孔質中空繊維の延長部分の先端を生体高分子を含むモノマー溶液に浸漬し、該液を該配列体を構成する各多孔質中空繊維の中空部及び／又は多孔質部に導入した後に重合して中空部にゲルを形成することにより行うことができる。
【００２０】
これら配列体としては、例えば、中空繊維又は多孔質中空繊維が規則的に配列されたもの、あるいは、 該配列体を構成する中空繊維又は多孔質中空繊維の軸方向に対して垂直な断面１ｃｍ２当たり１００本以上の中空繊維又は多孔質中空繊維を含むものなどが挙げられる。
【００２１】
また、生体高分子として、例えば、核酸が挙げられる。
【００２２】
この核酸の種類は、配列体を構成する各中空繊維又は各多孔質中空繊維の全部又は一部において異なっていてもよい。
【００２３】
【発明の実施の形態】
以下、本発明を詳細に説明する。
【００２４】
本発明において、中空繊維あるいは多孔質中空繊維に固定化する対象となる生体高分子としては、デオキシリボ核酸（ＤＮＡ）やリボ核酸（ＲＮＡ）、ペプチド核酸（ＰＮＡ）、オキシペプチド核酸（ＯＰＮＡ）などの核酸、あるいは、蛋白質、多糖類などが挙げられる。本発明に用いる生体高分子は、市販のものでもよく、また、生細胞などから得られたものでもよい。
【００２５】
例えば、生体高分子として核酸を用いる場合には、生細胞からのＤＮＡ又はＲＮＡの調製は、公知の方法、例えばＤＮＡの抽出については、Blinらの方法（ Blin et al., Nucleic Acids Res. 3: 2303 (1976)）等により、また、ＲＮＡの抽出については、Favaloroらの方法（ Favaloro et al., Methods Enzymol.65: 718 (1980) ）等により行うことができる。更には、鎖状若しくは環状のプラスミドＤＮＡや染色体ＤＮＡ、これらを制限酵素により若しくは化学的に切断したＤＮＡ断片、試験管内で酵素等により合成されたＤＮＡ、あるいは、化学合成したオリゴヌクレオチド等を用いることもできる。
【００２６】
本発明では、生体高分子をそのまま中空繊維等に固定化してもよく、また、生体高分子に化学的修飾を施した誘導体や、必要に応じて変成させた生体高分子を固定化してもよい。
【００２７】
例えば、生体高分子として核酸を用いる場合、核酸の化学的修飾には、アミノ化、ビオチン化、ディゴキシゲニン化等が知られており[Current Protocols In Molecular Biology, Ed.; Frederick M. Ausubel et al.(1990)、脱アイソトープ実験プロトコール(1)ＤＩＧハイブリダイゼーション（秀潤社）] 、本発明ではこれらの修飾法を採用することもできる。
【００２８】
本発明において、生体高分子の固定化に用いることができる中空繊維としては、合成繊維、半合成繊維、再生繊維、天然繊維等が挙げられる。
【００２９】
合成繊維の代表例としては、ナイロン６、ナイロン６６、芳香族ポリアミド等のポリアミド系の各種繊維、ポリエチレンテレフタレート、ポリブチレンテレフタレート、ポリ乳酸、ポリグリコール酸等のポリエステル系の各種繊維、ポリアクリロニトリル等のアクリル系の各種繊維、ポリエチレンやポリプロピレン等のポリオレフィン系の各種繊維、ポリビニルアルコール系の各種繊維、ポリ塩化ビニリデン系の各種繊維、ポリ塩化ビニル系繊維、ポリウレタン系の各種繊維、フェノール系繊維、ポリフッ化ビニリデンやポリテトラフルオロエチレン等からなるフッ素系繊維、ポリアルキレンパラオキシベンゾエート系の各種繊維などが挙げられる。
【００３０】
半合成繊維の代表例としては、ジアセテート、トリアセテート、キチン、キトサン等を原料としたセルロース系誘導体系各種繊維、プロミックスと呼称される蛋白質系の各種繊維などが挙げられる。
【００３１】
再生繊維の代表例としては、ビスコース法や銅−アンモニア法、あるいは有機溶剤法により得られるセルロース系の各種再生繊維（レーヨン、キュプラ、ポリノジック等）などが挙げられる。
【００３２】
天然繊維の代表例としては、亜麻、苧麻、黄麻などが挙げられる。これらの植物繊維は、中空状の繊維形態を示すので本発明に用いることができる。
【００３３】
天然繊維以外の中空繊維は、特殊なノズルを用いて公知の方法で製造することができる。ポリアミド、ポリエステル、ポリオレフィン等は溶融紡糸法が好ましく、ノズルとしては馬蹄型やC型ノズル、２重管ノズルなどを使用することができる。本発明においては、連続した均一な中空部を形成させることができる点で２重管ノズルを用いるのが好ましい。
【００３４】
溶融紡糸ができない合成高分子、半合成繊維又は再生繊維に用いられる高分子の紡糸は溶剤紡糸が好ましく用いられる。この場合も、溶融紡糸と同じく２重管ノズルを用いて、中空部に芯材として適切な液体を充填しながら紡糸することにより連続した中空部を有する中空繊維を得ることができる。
【００３５】
本発明に用いる中空繊維あるいは多孔質中空繊維は、特にその形態が規定されるものではない。また、モノフィラメントであってもよく、マルチフィラメントであってもよい。
【００３６】
本発明に用いる多孔質繊維は、溶融紡糸法又は溶液紡糸法に延伸法、ミクロ相分離法、抽出法などの公知の多孔化技術を組み合わせることにより得ることができる。
【００３７】
本発明に用いる多孔質繊維材料の多孔度は特に限定されるものではないが、繊維材料単位長さ辺りに固定化される生体高分子の密度を高めるという観点から、比表面積が大きくなるように高い多孔度であることが望ましい。
【００３８】
市販されている精密ろ過、限外濾過を目的とした多孔質中空糸膜、多孔質な中空糸膜の外表面に無孔性の均質膜を被覆した逆浸透膜、ガス分離膜、多孔質層の中間に無孔性の均質層を挟んだ膜などを用いることができる。
【００３９】
本発明に用いる中空繊維あるいは多孔質中空繊維は、無処理の状態でそのまま用いてもよいが、必要に応じて、反応性官能基を導入したものであってもよく、また、プラズマ処理やγ線、電子線などの放射線処理を施したものであってもよい。
【００４０】
本発明の配列体は、中空繊維あるいは多孔質中空繊維を規則的に配列し、樹脂接着剤等で接着することにより、例えば、縦横に中空繊維あるいは多孔質中空繊維が整然と規則的に配列した三次元配列体を得ることができる。三次元配列体の形状は特に限定されるものではないが、通常は、繊維を規則的に配列させることにより正方形又は長方形に形成される。
【００４１】
「規則的に」とは、一定の大きさの枠の中に含まれる繊維の本数が一定となるように順序よく配列させることをいう。例えば、直径１ｍｍの繊維を束にして断面が縦１０ｍｍ、横１０ｍｍの正方形となるように配列させようとする場合は、その正方形の枠内（１ｃｍ２）における１辺に含まれる繊維の数を１０本とし、この１０本の繊維を1列に束ねて１層のシートとした後、このシートが１０層になるように重ねる。その結果、縦に１０本、横に１０本、合計１００本の繊維を配列させることができる。但し、繊維を規則的に配列させる手法は、上記のようにシートを重層するものに限定されるものではない。
【００４２】
なお、本発明において三次元配列体とする中空繊維あるいは多孔質中空繊維の本数は１００本以上、好ましくは１,０００〜１０,０００,０００本であり、目的に応じて適宜設定することができる。但し、配列体における繊維の密度が、１ｃｍ２ 当たり１００〜１,０００,０００本となるように調製することが好ましい。そして、高密度に生体高分子が固定化された繊維配列体の薄片を得るべく繊維を配列させるためには、繊維の太さは細い方が好ましい。本発明の好ましい実施態様においては、配列体を構成する繊維軸方向に対して垂直な断面１ｃｍ２ 当たり１００本以上の中空繊維あるいは多孔質中空繊維を含むものである。これを達成するためには１本中空繊維あるいは多孔質中空繊維の外径は１ｍｍ以下であることが必要である。
【００４３】
例えば、外径が５００μｍ程度の中空繊維あるいは多孔質中空繊維のモノフィラメントを用いれば、固定化配列体断面１ｃｍ2 あたり４００以上の中空繊維あるいは多孔質中空繊維が配列された三次元構造体を得ることができる。また、中空繊維紡糸技術を応用して外径が３０μｍ程度の中空繊維あるいは多孔質中空繊維を製造し、これを用いれば、固定化配列体断面１ｃｍ2 当たり１００,０００本以上の中空繊維あるいは多孔質中空繊維が配列された三次元構造体を得ることが可能である。
【００４４】
本発明においては、配列体を構成する各中空繊維又は各多孔質中空繊維に対して樹脂で固定しない延長部分を設け、この先端部分を生体高分子を含む液槽に浸漬することにより、該液を配列体を構成する各繊維に導入することが可能となる。
【００４５】
中空繊維あるいは多孔質中空繊維に生体高分子を固定化する方法としては、配列体を構成する各中空繊維あるいは多孔質中空繊維の中空部に生体高分子を含む液を導入した後、中空繊維あるいは多孔質中空繊維の内壁面等と生体高分子との間の各種化学的又は物理的な相互作用、すなわち、中空繊維あるいは多孔質中空繊維の内壁面等に存在する官能基と生体高分子を構成する成分との間の化学的又は物理的な相互作用を利用することができる。
【００４６】
例えば、アミノ基で修飾された核酸を中空繊維に固定化する用いる場合には、グルタルアルデヒドや１−エチル−３−（３−ジメチルアミノプロピル）カルボジイミド(EDC)等の架橋剤を用いて繊維の官能基と結合させることができる。
【００４７】
また、生体高分子の中空繊維等への固定化は、生体高分子をゲルに固定化させこのゲルを介して行うことができる。ここで用いることのできるゲルの種類は特に限定されず、例えば、アクリルアミド、Ｎ，Ｎ−ジメチルアクリルアミド、Ｎ−イソプロピルアクリルアミド、Ｎ−アクリロイルアミノエトキシエタノール、Ｎ−アクリロイルアミノプロパノ−ル、Ｎ−メチロールアクリルアミド、Ｎ−ビニルピロリドン、ヒドロキシエチルメタクリレート、（メタ）アクリル酸、アリルデキストリン等の単量体の１種類または２種類以上と、メチレンビス（メタ）アクリルアミド、ポリエチレングリコールジ（メタ）アクリレート等との多官能性単量体を共重合したゲルを挙げることができる。
【００４８】
この場合の固定化は、生体高分子並びに上記単量体及び重合開始剤を含む溶液を中空繊維等の中空部に導入後、重合ゲル化させることによって行うことができる。
【００４９】
前記配列体を構成する各中空繊維又は各多孔質中空繊維に対して樹脂で固定しない延長部分は、配列体の一端、好ましくは両端に設けることにより、生体高分子を含む液を導入する以外に必要に応じ種々の処理を行うことができる。例えば、熱処理、アルカリ処理、界面活性剤処理などを行うことにより、配列体を構成する中空繊維あるいは多孔質中空繊維の内壁面等に固定化された生体高分子を変成させる、あるいは、細胞、菌体などの生材料から得られた生体高分子を使用する場合は、不要な細胞成分などを除去することができる。なお、これらの処理は別々に実施してもよく、同時に実施してもよい。また、生体高分子を含む試料を配列体を構成する中空繊維あるいは多孔質中空繊維に固定化する前に、適宜実施してもよい。
【００５０】
三次元列体中の各々の中空繊維あるいは多孔質中空繊維に固定化されている生体高分子の種類は、それぞれ異なる種類の生体高分子とすることが可能である。即ち、本発明によれば、固定化された生体高分子の種類と配列の順序に関しては、目的に応じて任意に設定することが可能である。
【００５１】
本発明においては、三次元配列体を、繊維軸と交差する方向、好ましくは繊維軸に対して垂直方向に切断することにより、任意に配列された生体高分子固定化中空繊維配列体断面あるいは生体高分子固定化多孔質中空繊維配列体断面を有する薄片、すなわち生体高分子配列薄片を得ることができる。この際の切断方法としては、例えば、ミクロトームを用いて配列体から薄片を切り出す方法等が挙げられる。薄片の厚みに関しては任意に調整することができるが、通常１〜５,０００μｍ、好ましくは１０〜２,０００μｍである。
【００５２】
得られた生体高分子固定化中空繊維配列体断面あるいは生体高分子固定化多孔質中空繊維配列体断面を有する薄片（生体高分子配列薄片）には、該配列体を構成する中空繊維あるいは多孔質中空繊維の数に応じた生体高分子が存在する。薄片の断面積当たりの生体高分子の数に関しては、用いる中空繊維あるいは多孔質中空繊維の外径等を適宜選択することにより、薄片断面積１ｃｍ２あたり１００個以上の生体高分子が固定化された薄片を作製することが可能であり、更には、薄片断面積１ｃｍ２あたり１０００個以上の生体高分子が固定化された薄片を作製することも可能である。
【００５３】
また、同一配列体から得られる薄片の生体高分子の位置配列はすべて同一であるので、同一配列体から得られるすべての薄片の生体高分子の位置配置がわかる。
【００５４】
得られた生体高分子固定化中空繊維配列体断面あるいは生体高分子固定化多孔質中空繊維配列体断面を有する薄片、すなわち生体高分子配列薄片は、例えば固定化された生体高分子が核酸である場合、該核酸をプローブとして、検体と反応させてハイブリダイゼーションを行うことにより、検体中の特定のポリヌクレオチドの塩基配列の検出に用いることができる。
【００５５】
本発明で言うプローブとは、広義には検体中に存在するするタンパク質や低分子化合物等の検体試料側生体高分子と特異的に結合することができる固定側生体高分子を指す。従って、これらの薄片の利用法としては、固定化された生体高分子（プローブ）とハイブリッドを形成する検体試料側生体高分子を検出するための利用に留まらず、固定化された生体高分子と特異的に結合するタンパク質や低分子化合物等の各種試料を検出するための利用が挙げられる。
【００５６】
固定化された生体高分子が核酸である場合には、本発明による生体高分子配列薄片を検体と反応させてハイブリダイゼーションを行い、プローブと相補的な検体中に存在する核酸とのハイブリッドを形成させ、このハイブリッドを検出することにより、目的とする塩基配列を有する検体中の核酸を検出することができる。
【００５７】
ハイブリッドの検出の場合には、ハイブリッドを特異的に認識することができる公知の手段を用いることができる。例えば、検体中の生体高分子に、蛍光物質、発光物質、ラジオアイソトープなどの標識体を作用させ、この標識体を検出することができる。これら標識体の種類や標識体の導入方法等に関しては、何ら制限されることはなく、従来公知の各種手段を用いることができる。
【００５８】
【実施例】
本発明を以下の実施例によって更に詳細に説明する。但し、本発明はこれら実施例によりその技術的範囲が限定されるものではない。
【００５９】
〔実施例１〕
中空繊維配列体の作製（１）：
１ｃｍ２四方に縦横各々２０個、合計４００個の孔が規則正しく正方配列された繊維ガイド板２枚を用い、その繊維ガイド板の各孔にナイロン製中空繊維（外径約３００μｍ、長さ約５０ｃｍ）４００本を通過させることにより中空繊維配列体を得た。
【００６０】
２枚の繊維ガイド板の間隔を２０ｃｍとし、その間をポリウレタン樹脂により固定化することにより、両端に樹脂で固定化されない部分を有する中空繊維配列体を得た。
【００６１】
〔実施例２〕
中空繊維配列体の作製（２）：
ナイロン製中空繊維の代わりに、ポリエチレン−ビニルアルコール共重合体で内表面を親水化処理したポリエチレン製中空繊維（外径約３００μm、長さ約５０ｃｍ）を用いて、実施例１と同様の方法により、両端に樹脂で固定化されない部分を有する中空繊維配列体を得た。
【００６２】
〔実施例３〕
多孔質中空繊維配列体の作製：
ナイロン製中空繊維の代わりに、無孔質な中間層を有するポリエチレン製多孔質中空糸膜ＭＨＦ２００ＴＬ（三菱レイヨン株式会社製，外径２９０μｍ，内径２００μｍ、長さ約５０ｃｍ)を用いた以外は、実施例１と同様に実施し、両端に樹脂で固定化されない部分を有する多孔質中空繊維配列体を得た。
【００６３】
〔実施例４〕
中空繊維の内表面処理（１）：
実施例１で得られた中空繊維配列体を構成する各中空繊維の中空部に、一方の樹脂で固定化されない繊維部分から蟻酸を導入し、１分間保持した。次に、中空部に室温の水を多量に導入して十分洗浄し、その後、乾燥することによりナイロン製中空繊維の前処理を行った。
【００６４】
〔実施例５〕
中空繊維の内表面処理（２）：
蟻酸の代りに、硫酸の１０％エタノール溶液を用いた以外は、実施例４と同様に実施し、ナイロン製中空繊維の前処理を行った。
【００６５】
〔参考例１〕
５’末端にアミノ基を有するオリゴヌクレオチドの合成：
以下に示したオリゴヌクレオチド（プローブＡ、プローブＢ）を合成した。
【００６６】
プローブＡ： GCGATCGAAACCTTGCTGTACGAGCGAGGGCTC（配列番号１）
プローブＢ： GATGAGGTGGAGGTCAGGGTTTGGGACAGCAG（配列番号２）
オリゴヌクレオチドの合成はＰＥバイオシステムズ社の自動合成機DNA/RNA synthesizer (model394)を用いて行い、ＤＮＡ合成の最終ステップでアミノリンクII（商標名）（アプライドバイオシステム社）を用いてそれぞれのオリゴヌクレオチドの５’末端にＮＨ２（ＣＨ２）６−を導入し、一般的手法により、脱保護及び精製して使用した。
【００６７】
〔実施例６〕
中空繊維配列体への生体高分子の導入及び固定化（１）：
実施例１で作製した中空繊維配列体に対して実施例４又は５により各構成中空繊維の内表面処理を行った後、生体高分子の一例として、参考例１において合成したアミノ基を有するオリゴヌクレオチド（プローブＡ及びプローブＢ）を、以下の方法により中空繊維配列体を構成する各中空繊維内部に導入し、固定化した。
【００６８】
中空繊維配列体の一方の端より、リン酸カリウム溶液緩衝液に参考例１において合成したアミノ基を有するオリゴヌクレオチドを加えた溶液を導入した後、２０℃で終夜保持した。
【００６９】
その後、リン酸カリウム溶液緩衝液、塩化カリウム溶液、水で、中空繊維内部を洗浄し、オリゴヌクレオチドが中空繊維の内壁面に固定化された核酸固定化中空繊維配列体を得た。
【００７０】
この際に、プローブＡ及びプローブＢのオリゴヌクレオチドは、中空繊維配列体における配列が図２の如くになるように導入し、固定化した。
【００７１】
図２において、白丸（○）は、プローブＡが内部に固定化された中空繊維、黒丸（●）は、プローブＢが内部に固定された中空繊維を表す。
【００７２】
〔実施例７〕
中空繊維配列体への生体高分子の導入及び固定化（２）：
実施例２で作製した中空繊維配列体を用いて、実施例６と同様の方法により、オリゴヌクレオチドが中空繊維の内壁面に固定化された核酸固定化中空繊維配列体を得た。
【００７３】
この際にも、中空繊維配列体におけるプローブＡ及びプローブＢのオリゴヌクレオチドの配列は、実施例６と同様である。
【００７４】
〔実施例８〕
中空繊維配列体への生体高分子の導入及び固定化（３）：
生体高分子の一例として、参考例１において合成したアミノ基を有するオリゴヌクレオチド（プローブＡ及びプローブＢ）を含む、以下の組成からなる水溶液を作製した。
【００７５】
アクリルアミド                                              3.7質量部
メチレンビスアクリルアミド                                  0.3質量部
2,2'-アゾビス（2-アミジノプロパン）二塩酸塩                 0.1質量部
アミノ化オリゴヌクレオチド（プローブＡまたはプローブＢ）    0.005質量部
本溶液を、実施例１で作製した中空繊維配列体に対して実施例４又は５により各構成中空繊維の内表面処理を行った中空繊維の中空部に注入した後、内部が水蒸気で飽和された密閉ガラス容器に移し、８０℃にて４時間放置することにより重合反応を行った。
【００７６】
その結果、オリゴヌクレオチド（プローブＡまたはプローブＢ）が固定化されたゲルを内部に保持する中空繊維配列体を得た。
【００７７】
中空繊維配列体におけるプローブＡ及びプローブＢのオリゴヌクレオチドの配列は、実施例６と同様である。
【００７８】
〔実施例９〕
中空繊維配列体への生体高分子の導入及び固定化（４）：
ナイロン製中空繊維の代わりに、実施例２で得た、内表面を親水化処理したポリエチレン製中空繊維配列体を用いて、実施例８と同様の方法により、オリゴヌクレオチド（プローブＡまたはプローブＢ）が固定化されたゲルを内部に保持する中空繊維配列体を得た。
【００７９】
中空繊維配列体におけるプローブＡ及びプローブＢのオリゴヌクレオチドの配列は、実施例６と同様である。
〔実施例１０〕
多孔質中空繊維配列体への生体高分子の導入及び固定化（１）：
実施例３で作製した多孔質中空繊維配列体を用いて、実施例６と同様の方法により、オリゴヌクレオチドが多孔質中空繊維の内壁面に固定化された核酸固定化多孔質中空繊維配列体を得た。
【００８０】
この際にも、多孔質中空繊維配列体におけるプローブＡ及びプローブＢのオリゴヌクレオチドの配列は、実施例６と同様である。
【００８１】
〔実施例１１〕
多孔質中空繊維配列体への生体高分子の導入及び固定化（２）：
実施例３で作製した多孔質中空繊維配列体を用いて、実施例８と同様の方法により、オリゴヌクレオチド（プローブＡまたはプローブＢ）が固定化されたゲルを内部に保持する多孔質中空繊維配列体を得た。
【００８２】
中空繊維配列体におけるプローブＡ及びプローブＢのオリゴヌクレオチドの配列は、実施例６と同様である。
〔実施例１２〕
生体高分子配列薄片の作製：
実施例６〜９で得られた生体高分子固定化中空繊維配列体、及び実施例１０及び１１で得られた生体高分子固定化多孔質中空繊維配列体を、各々の繊維軸に直角方向に、ミクロトームを用いて約１００μｍの厚さに薄片を切り出すことにより、縦横各々２０、計４００のオリゴヌクレオチドが規則的に正方に配列された生体高分子配列薄片得た。(図３)
〔参考例２〕
試料核酸の標識：
試料核酸のモデルとして、参考例１で合成したオリゴヌクレオチド（プローブＡ、プローブＢ）の配列の一部に相補的なオリゴヌクレオチド（Ｃ，Ｄ ）を合成した。
【００８３】
オリゴヌクレオチド Ｃ：GAGCCCTCGCTCGTACAGCAAGGTTTCG（配列番号３）
オリゴヌクレオチド Ｄ：CTGCTGTCCCAAACCCTGACCTCCACC（配列番号４）
これらのオリゴヌクレオチドの５’末端を、参考例１と同様にしてアミノリンクII（商標名）（ＰＥバイオシステムズジャパン社）を用いてそれぞれのオリゴヌクレオチドの５′末端にＮＨ２（ＣＨ２）６−を導入した後、以下のようにしてディゴキシゲニン(ロシュ・ダイアグノスティックス株式会社)で標識した。
【００８４】
末端アミノ化されたオリゴヌクレオチドをそれぞれ100 mMホウ酸緩衝液(pH8.5)に終濃度2 mMになるように溶かした。等量のDigoxigenin-3-O-methylcarbonyl-ε-aminocapronic acid-N-hydroxy-succinimide ester (26mg / mlジメチルホルムアミド溶液)を加え、室温にて一晩静置した。
【００８５】
量を１００μｌに調整し、２μｌのグリコーゲン（ロシュ・ダイアグノスティックス株式会社）、１０μｌの３Ｍ酢酸ナトリウム（ｐＨ５．２）、３００μｌの冷エタノールを加え、１５，０００ｒｐｍ  １５分の遠心により沈殿を回収した。沈殿に５００μｌの７０％エタノールを加え１５，０００ｒｐｍ、５分の遠心により沈殿を再びチューブの底に集めた。沈殿を風乾し、１００μｌの１０ｍＭ  Ｔｒｉｓ−ＨＣｌ（ｐＨ７．５）、１ｍＭ  ＥＤＴＡに溶かした。
【００８６】
こうして得られたＤＩＧ標識オリゴヌクレオチドを試料核酸のモデルとして用いた。
【００８７】
〔参考例３〕
ハイブリダイゼーション：
実施例１２で作製した各々のオリゴヌクレオチドが規則的に正方に配列された生体高分子配列薄片をハイブリダイゼーション用のバッグに入れ、以下の組成からなるハイブリダイゼーション溶液を注ぎ込み、４５℃で３０分間プレハイブリダイゼーションを行った。
【００８８】
参考例２で得られたＤＩＧ標識ＤＮＡを加え、４５℃で１５時間ハイブリダイゼーションを行った。
【００８９】
ハイブリダイゼーション溶液組成：
５ｘＳＳＣ（０．７５Ｍ塩化ナトリウム、０．０７５Ｍクエン酸ナトリウ  ム、ｐＨ７．０）
５％ブロッキング試薬（ロシュ・ダイアグノスティックス株式会社）
０．１％Ｎ−ラウロイルザルコシンナトリウム
０．０２％ＳＤＳ（ラウリル硫酸ナトリウム）
５０％ホルムアミド
〔参考例４〕
検出：
ハイブリダイゼーション終了後、オリゴヌクレオチドが規則的に正方に配列された生体高分子配列薄片を、あらかじめ保温しておいた５０ｍｌの０．１ｘＳＳＣ、０．１％ＳＤＳ溶液に移し、振盪しながら２０分間の洗浄を４５℃で３回行った。
【００９０】
ＤＩＧ緩衝液１を加え、室温で振盪しながらＳＤＳの除去を行った。これを再度繰り返した後、ＤＩＧ緩衝液２を加え１時間振盪した。緩衝液を除いた後、ＤＩＧ緩衝液２に１００００分の１量の抗ＤＩＧアルカリフォスファターゼ標識抗体溶液を加えた溶液１０ｍｌを加え、３０分間ゆっくり振盪させることにより抗原抗体反応を行わせた。次に０．２％  Ｔｗｅｅｎ２０を含むＤＩＧ緩衝液１で１５分間２回振盪することにより洗浄し、引き続きＤＩＧ緩衝液３に３分間浸した。ＤＩＧ緩衝液３を除いた後、ＡＭＰＰＤを含むＤＩＧ緩衝液３ｍｌを加え、１０分間平衡化した。
【００９１】
水分をきり、新しいハイブリダイゼーション用バッグに移し、37℃で１時間おいた後、Ｘ線フィルム用のバインダーにＸ線フィルムとともに挟みフィルムを感光させた。
【００９２】
その結果、何れの生体高分子配列薄片も、プローブＡが配置された場所には、オリゴヌクレオチドＣが結合し、プローブＢが配置された場所には、オリゴヌクレオチドＤが結合していることが確認された。
【００９３】
ＤＩＧ緩衝液１：０．１Ｍマレイン酸、０．１５Ｍ塩化ナトリウム          （ｐＨ７．５）
ＤＩＧ緩衝液２：ＤＩＧ緩衝液１に０．５％濃度でブロッキング試薬を      添加したもの
ＤＩＧ緩衝液３    ：０．１Ｍトリス−塩酸（ｐＨ９．５）、０．１Ｍ塩化  ナトリウム、０．０５Ｍ塩化マグネシウム
ブロッキング試薬  ：抗ＤＩＧアルカリフォスファターゼ標識抗体溶液およびＡＭＰＰＤはＤＩＧ  Ｄｅｔｅｃｔｉｏｎキット（ロシュ・ダイアグノスティックス株式会社）中の試薬である。
【００９４】
【発明の効果】
本発明によれば、生体高分子が任意に高密度且つ正確に配列された生体高分子固定化中空繊維配列体あるいは多孔質中空繊維配列体の繊維断面を有する薄片、すなわち生体高分子配列薄片を再現性よく効率的に得ることができる。この生体高分子配列薄片を用いて、検体中の生体高分子の種類および量を調べることができる。
【００９５】
【配列表】
0004404328.tif 000002
0004404328.tif 000003
【００９６】
【配列表のフリーテキスト】
配列番号１：合成DNA
配列番号２：合成DNA
配列番号３：合成DNA
配列番号４：合成DNA
【図面の簡単な説明】
【図１】図１は、本発明の中空繊維配列体の製造方法模式図である。（１）は中空繊維配列体（樹脂で固定）、（２）は中空繊維（非固定）、（３）は生体高分子入り容器、及び（４）は連続面であることを示す。
【図２】図２は、本発明の中空繊維配列体の断面図の模式図である。
【図３】図３は、本発明の中空繊維配列体を、繊維軸に対して垂直方向にスライスして得られた生体高分子配列薄片の模式図である。
【図１】
0004404328.tif 000004
【図２】
0004404328.tif 000005
【図３】
0004404328.tif 000006